(57)【要約】【課題】  従来のワイヤガイド、ガイド用ひれに相当する構成、機能を備えることができる小形・軽量なウインドウレギュレータの提供。【解決手段】  ガイドレール２を横断面において底壁１０と両側の立上り壁１１，１２を備えたコ字形とし、一方の立上り壁１２の上端から側方へ底壁１０と略平行に屈曲されたガイド辺縁１３を設ける。キャリアプレート３に、ガイドレール２の立上り壁１１，１２間に嵌り込んでこれらにガイドされる凸条部１４とガイドレール２のガイド辺縁１３に底壁１０側から接してガイドするガイド用ひれ面１５を設ける。【選択図】  図４
2014177838.tif 000002
【特許請求の範囲】
【請求項１】
ガイドレールとキャリアプレートを有するウインドウレギュレータであって、
ガイドレールは横断面において底壁と両側の立上り壁を備えたコ字形に一方の立上り壁の上端から側方へ底壁と略平行に屈曲されたガイド辺縁を有する長尺材であり、
キャリアプレートはガイドレールの立上り壁間に嵌り込んでこれらにガイドされるガイド凸条部とガイドレールのガイド辺縁に底壁側から接してガイドするガイドひれ面を有していることを特徴としたウインドウレギュレータ。
【請求項２】
ウインドウレギュレータはガイドレールの下部にワイヤドラムとその駆動装置を備えると共にガイドレールの上部にプーリーを備え、ワイヤドラムからプーリーに掛け回されてキャリアプレートに係合される閉じ用ワイヤを有し、
ガイドレールは、窓ガラスの湾曲に合わせて長手方向で湾曲しており、
ガイドレールの長手方向中間の底壁外面にガイドレールの側方に突出するブラケットの基部を取付け、ブラケットの先端部に閉じ用ワイヤの位置を規制するワイヤガイドを設けてあることを特徴とした請求項１に記載のウインドウレギュレータ。
【発明の詳細な説明】
【技術分野】
【０００１】
窓ガラスを上下移動させるワイヤドラム式のウインドウレギュレータに関する。主として自動車の窓を開閉するために用いられる。
【背景技術】
【０００２】
ワイヤドラム式のウインドウレギュレータ（１）には、図１のように、ガイドレール（２）、これにスライド可能に取り付けられたキャリアプレート（３）、ワイヤドラム（４）、ドラム駆動装置（５）及びこれらにかけ回されるワイヤ（６）、（７）を備え、ワイヤドラム（４）とドラム駆動装置（５）をガイドレール（２）の下部に取り付け、ガイドレール（２）の上部にプーリー（８）を取り付けるものがある（特許文献１〜３）。従来技術の構成に用いる符号は（  ）付きとし、本願発明の実施例の場合と区別する。
【０００３】
この場合、ワイヤは閉じ用ワイヤ（６）と開き用ワイヤ（７）の２本が利用される。
閉じ用ワイヤ（６）はワイヤドラム（４）からプーリー（８）を回ってキャリアプレート（３）に係合固定されており、開き用ワイヤ（７）は、ワイヤドラム（４）とキャリアプレート（３）間を連繋している。そして、ドラム駆動装置（５）でワイヤドラム（４）が正逆に駆動回転されると、閉じ用ワイヤ（６）と開き用ワイヤ（７）が、一方は巻き込まれ、他方は巻き戻されることにより、キャリアプレート（３）がガイドレールを上下にスライド移動する。キャリアプレート（３）には窓ガラスが載置されているので、これにより窓が開閉される。
【０００４】
このとき、ガイドレール（２）が、窓ガラスの湾曲に合わせて車幅方向外側へ膨らむように湾曲していると、窓を閉じるときに閉じ用ワイヤ（６）が下部のワイヤドラム（４）と上部のプーリー（８）間で閉じ用ワイヤ（６）が直線状に緊張し（特許文献１）、ガイドレール（２）から離れ、閉じ用ワイヤがプーリー（８）から外れたり、巻掛け方向が正常ではなくなるためにいわゆるビビリ音が発生する。また、ドアパネルと閉じ用ワイヤ（６）との間に十分なクリアランスを取ることが難しくなったりする。
これを防止するため、ガイドレール（２）にブラケット（９）を側方（車の前後方向の一方）に張り出させて取付け、その先端部にワイヤガイド（１０）を設けて閉じ用ワイヤ（６）を案内させている。
【０００５】
一方、キャリアプレート（３）は左右（車の前後方向）及び内外方向（車の幅方向）にガイドレール（２）によって規制される部分を有してこれらの方向にガタつくことなくガイドされるようになっている（図２）。しかし、内外方向の規制は内外方向の寸法（ガイドレールの厚さ）が小さいために不安定な面があるので、キャリアプレート（３）にガイドレール（２）の裏面（車幅方向内面）に回り込むガイド用ひれ（１１）（図２ロ）を設け、これをガイドレール（２）の裏面に接触させ、スライド移動させている。
【先行技術文献】
【特許文献】
【０００６】
【特許文献１】特開２０１１−６９０５９号公報
【特許文献２】特開平９−１１２１２５号公報
【特許文献３】特開２００５−１３９７０６号公報
【発明の概要】
【発明が解決しようとする課題】
【０００７】
前記の従来構造でキャリアプレート（３）のスライド移動は安定するが、スライド中にガイド用ひれ（１１）がガイドレール（２）に取付けられたワイヤガイド（１０）の前記ブラケット（９）と衝突しないよう、ガイドレール（２）を幅広く構成するか、ガイド用ひれ（１１）がスライドする面をブラケット(９)が取り付けられている面と異なる高さの面にする必要がある。いずれの場合も、小形・軽量なウインドウレギュレータ（１）を必要とする要請に反する。
この発明は、前記のワイヤガイド（１０）、ガイド用ひれ（１１）に相当する構成、機能を備えることができる小形・軽量なウインドウレギュレータの提供を課題とする。
【課題を解決するための手段】
【０００８】
ガイドレールとキャリアプレートを有するウインドウレギュレータにおいて、ガイドレールを横断面において底壁と両側の立上り壁を備えたコ字形に一方の立上り壁の上端から外方へ底壁と略平行に屈曲されたガイド辺縁を有する長尺材とする一方、キャリアプレートをガイドレールの立上り壁間に嵌り込んでこれらにガイドされるガイド凸条部とガイドレールのガイド辺縁に底壁側から接してガイドするガイド用ひれ面を有したものとする。
【０００９】
このウインドウレギュレータは、ガイドレールが窓ガラスの湾曲に合わせて長手方向で湾曲しており、ガイドレールの下部にワイヤドラムとその駆動装置を備え、上部にプーリーを備え、前記のワイヤドラムからプーリーに掛け回されてキャリアプレートに係合される閉じ用ワイヤを有したものであって、ガイドレールの長手方向中間の底壁外面にガイドレールの側方に突出するブラケットの基部を取付け、ブラケットの先端部に閉じ用ワイヤの位置を規制するワイヤガイドを設ける構成のものであって良い。
【発明の効果】
【００１０】
ガイドレールは横断面がコ字形のチャンネルであるため、構造的に頑丈であり、幅を小さく小型にできる。断面コ字形の立上り壁の一方に設けたガイド辺縁にキャリアプレートのガイドひれ面が底壁側から接するので、ガイドレールに対するキャリアプレートの車幅方向でのガタ付きが解消される。
ガイドレールの底壁外面にワイヤガイドのブラケットを取付けても、キャリアプレートがスライドする際の邪魔にならない。
【図面の簡単な説明】
【００１１】
【図１】ウインドウレギュレータの構造を概略で示した模式図。
【図２】従来のウインドウレギュレータのガイドレールとキャリアプレートの組み付け構造を示し、〔イ〕は斜視図、〔ロ〕はガイドレール部分の断面図、〔ハ〕はガイドレールの断面図。
【図３】ウインドウレギュレータの全体を示した斜視図。
【図４】ウインドウレギュレータのガイドレールとキャリアプレートの組み付け構造を示し、〔イ〕は斜視図、〔ロ〕はガイドレール部分の断面図、〔ハ〕はガイドレールの断面図。
【発明を実施するための形態】
【００１２】
図３は、本願の発明による自動車用ウインドウレギュレータ１の一実施例を示したものである。
このウインドウレギュレータ１は、自動車のドアパネル内に納められており、ガイドレール２、キャリアプレート３、ワイヤドラム４を備えたドラム駆動装置５及び閉じ用ワイヤ６と開き用ワイヤ７を備える。符号８はプーリーであり、ガイドレール２の上端部に軸支されている。符号９はワイヤガイドであり、閉じ用ワイヤ６が移動するときの振れを抑制する。
【００１３】
ガイドレール２は横断面をコ字形(図４)とした頑丈な鋼板の成形品であり、底壁１０と左右の立上り壁１１，１２を有し、一方の右立上り壁１２の上端から側方（車の前後方向）へ屈曲されたガイド辺縁１３を有する。ガイド辺縁１３は底壁１０と略平行に形成され、ガイドレール２の長手方向に延びている。なお、この実施例においてガイドレール２は、窓ガラスの湾曲に合わせて、中間部が車の幅方向で外側へわずかに凸となるよう湾曲している。
【００１４】
キャリアプレート３は窓ガラスの下辺を支持し、ガイドレール２に案内されて上下方向に移動される部材であり、内面側（車の幅方向内側の面）に凸条部１４とガイドレール２のガイド辺縁１３に前記の底壁１０側から接してガイドするガイド用ひれ面１５を一体に有している。
符号１６は閉じ用ワイヤ６の係合部であり、閉じ用ワイヤ６のキャリアプレート３側を係合し取り付ける。符号１７は開き用ワイヤ７のキャリアプレート３側を係合固定する係合部である。
【００１５】
前記の凸条部１４は、ガイドレール２の両側の立上り壁１１，１２の間に位置し、上下方向（ガイドレール２の長手方向）に長い寸法を有する部分である。
ガイド用ひれ面１５は、ガイドレール２のガイド辺縁を貫通させる取付け空間１８の下壁の面である。
ガイドレール２にキャリアプレート３を嵌め込むようにして、図４の〔ロ〕のように取り付けると、キャリアプレート３は、ガイドレール２の左右の立上り壁１１，１２によって左右方向の移動が規制され、底壁１０とガイド辺縁１３によって内外方向の移動が規制される。このため、キャリアプレート３はガイドレール２を上下方向に安定してスライドすることができる。
【００１６】
また、前記の底壁１０とガイド辺縁１３との間には右立上り壁１２の高さに相当する充分な距離が存在するので、キャリアプレート３を内外方向で規制する機能が高い。
なお、図４の〔ロ〕では、ガイドレール２とキャリアプレート３の間に大きなクリアランスを図示しているが、図面の都合であって、実際には、ガイドレール２に対してキャリアプレート３がスライドできる範囲でできるだけ小さな間隔とされる。
【００１７】
ワイヤガイド９は、ガイドレール２の底壁１０の外面に固定したブラケット１９（図４ロ〕の先端部に設けられている。この実施例において、ブラケット１９は左立上り壁１１から側方に突出している。
以上の構成であって、ドラム駆動装置５によってワイヤドラム４が駆動されると、閉じ用ワイヤ６が巻き込まれるときキャリアプレート３が上昇して窓ガラスが閉じ、開き用ワイヤ７が巻き込まれるときキャリアプレート３が下降して窓ガラスが開く。
ガイドレール２は、横断面がコ字形をしていることにより頑丈であり、小形にできる。一方、キャリアプレート３の上昇、下降は、ガイドレール２の左右立上り壁１１，１２によって車の前後方向が規制され、底壁１０とガイド辺縁１３とによって車の内外方向が安定して規制されるので、キャリアプレート３のスライド移動はスムーズである。
【００１８】
そして、キャリアプレート３の前後方向移動を規制するガイド辺縁１３は、右立上り壁１２の上端から側方へ屈曲した構造なので、底壁１０からの寸法が大きく、前後方向移動を規制する機能が高い。
また、従来のガイド用ひれ（１１）のように、ガイドレール２の底壁１０の外面に沿って移動する部分が存在しないので、ガイドレール２を小形にしても、キャリアプレート３の移動を阻害することなくワイヤガイド９のブラケット１９を底壁１０の外面に固定することができる。
【００１９】
以上は、一実施例の説明である。
ガイドレール２に対して窓ガラスは外面側に配置される場合と内面側に配置されることがある。
キャリアプレート３におけるガイド用ひれ面は、ガイドプレート２のガイド辺縁１３の下面に接してスライド移動できるよう構成されればよく、実施例の構造に限定されない。
ガイド辺縁１３を左の立上り壁１１に設けてもよい。また、キャリアプレート３の凸条部１４は、一体につながっておらず、数個に分割して配置されてもよい。
【符号の説明】
【００２０】
１  ウインドウレギュレータ
２  ガイドレール
３  キャリアプレート
４  ワイヤドラム
５  ドラム駆動装置
６  閉じ用ワイヤ
７  開き用ワイヤ
８  プーリー
９  ワイヤガイド
１０  底壁
１１  左立上り壁
１２  右立上り壁
１３  ガイド辺縁
１４  凸条部
１５  ガイド用ひれ面
１６  閉じ用ワイヤの係合部
１７  開き用ワイヤの係合部
１８  取付け空間
１９  ブラケット
【図１】
2014177838.tif 000003
【図２】
2014177838.tif 000004
【図３】
2014177838.tif 000005
【図４】
2014177838.tif 000006